(57)【要約】【課題】長時間にわたるゴルフプレーであっても、手に疲労感が残らず、従って正確なショットを得ることができるゴルフ用グローブを提供する。【解決手段】ゴルファーの手指を含めた手の掌側および甲側全体を密に覆うことができる大きさに形成したゴルフ用グローブであって、グローブ本体１の甲側２における親指片３の付け根周縁部にほぼ三日月状の切欠部を形成すると共に、この三日月状切欠部内に、比較的厚手のほぼ三日月状となした衝撃吸収体５を封入した補助片６を縫着した。衝撃吸収体５を構成する合成樹脂発泡体中に適宜ゲルマニウム微粉末を配合する。【選択図】図１
0003123983.tif 000002
【実用新案登録請求の範囲】
【請求項１】
ゴルファーの手指を含めた手の掌側および甲側全体を密に覆うことができる大きさに形成したゴルフ用グローブであって、グローブ本体の甲側における親指片の付け根周縁部に比較的厚手の衝撃吸収体を付設したことを特徴とするゴルフ用グローブ。
【請求項２】
ゴルファーの手指を含めた手の掌側および甲側全体を密に覆うことができる大きさに形成したゴルフ用グローブであって、グローブ本体の甲側における親指片の付け根周縁部に略三日月状の切欠部を形成すると共に、当該三日月状切欠部に、比較的厚手の略三日月状となした衝撃吸収体を封入した補助片を縫着してなることを特徴とするゴルフ用グローブ。
【請求項３】
衝撃吸収体は合成樹脂発泡体中にゲルマニウム微粉末を分散させてある請求項１または２記載のゴルフ用グローブ。
【考案の詳細な説明】
【技術分野】
【０００１】
本考案はゴルファーの手指を含めた手の掌側および甲側全体を密に覆うことができる大きさに形成したゴルフ用グローブに係り、特にショットの際にゴルファーのグリップする手に掛かる衝撃を緩和して疲労感を減ずることができるようになしたゴルフ用グローブに関する。
【背景技術】
【０００２】
ゴルフクラブのスイングの際に、グリップを確実なものにして正確なショットを得るため、ゴルファーの手にはグローブが必需品となっている。このゴルフ用グローブは一般カジュアル用の手袋と異なり、グリップの際に手に特に密着するように作成されるものであるため、ショットの際の衝撃は直にゴルファーの手に影響してくる。
【０００３】
ゴルフプレーにおいては周知のように１ラウンドで打球数は約８０〜１００回にも及ぶことがあり、ゴルファーの手には相当な負荷が蓄積され疲労感が次第に増すという問題点がある。
【０００４】
このような問題点を解消するため、次に示す特許文献１（実用新案登録第３１１３３１０号公報）においては、グローブ本体の親指から付け根にかけて、保護テープを縫着し、この保護テープの先端面に付設した面ファスナーを、グローブ本体の甲側に取付けた面ファスナーに係着させて衝撃だけでなく炎症も防ぐようにしたゴルフグローブが開示されている。
【０００５】
また、特許文献２（実開平５−８２４６６号公報）においては、インパクト時の衝撃を吸収緩和するため、手の甲から手首までの長さの空気を充填した袋状部材もしくは甲当て部材で形成された甲当て部と、当該甲当て部の下部に一体に取付けられる手首固定部とからなる保護装置をゴルフ用手袋に付設することが提案されている。
【特許文献１】実用新案登録第３１１３３１０号公報
【特許文献２】実開平５−８２４６６号公報
【考案の開示】
【考案が解決しようとする課題】
【０００６】
上記したように、ゴルフプレーの際にゴルファーの手に掛かる衝撃を緩和するための工夫がいくつかなされているが、特許文献１に係るゴルフグローブにおいては、グリップのたびに親指付根保護テープを甲側に引っ張って面ファスナー同士を係着しなければならず、操作が煩わしいという問題点がある。
【０００７】
また、特許文献２に係る保護装置付きゴルフ用手袋の場合は、手袋本体の甲側に、手の甲から手首までの長さの空気を充填し得る袋状部材を作成しなければならず、コストアップにつながると共に、空気を充填した袋状部材に亀裂が生じたときにはエアーが抜けて緩衝効果がなくなるという問題点がある。
【０００８】
本考案は前記した従来のゴルフ用グローブの問題点を解消し、長時間にわたるゴルフプレーであっても、手に疲労感が残らず、従って正確なショットを得ることができるゴルフ用グローブを提供することを目的とするものである。
【課題を解決するための手段】
【０００９】
上記目的を達成するための本考案の構成を詳述すれば、請求項１に係る考案は、ゴルファーの手指を含めた手の掌側および甲側全体を密に覆うことができる大きさに形成したゴルフ用グローブであって、グローブ本体の甲側における親指片の付け根周縁部に比較的厚手の衝撃吸収体を付設したことを特徴とするゴルフ用グローブである。
【００１０】
請求項２に係る考案は、ゴルファーの手指を含めた手の掌側および甲側全体を密に覆うことができる大きさに形成したゴルフ用グローブであって、グローブ本体の甲側における親指片の付け根周縁部に略三日月状の切欠部を形成すると共に、当該三日月状切欠部に、比較的厚手の略三日月状となした衝撃吸収体を封入した補助片を縫着してなることを特徴とするゴルフ用グローブである。
【００１１】
さらに、請求項３に係る考案は、衝撃吸収体は合成樹脂発泡体中にゲルマニウム微粉末を分散させてある請求項１または２記載のゴルフ用グローブである。
【考案の効果】
【００１２】
グローブ本体の甲側における親指片の付け根周縁部は、親指と人指し指の延長線が交わる合谷と称する身体療法上の重要な経穴に相当し、この部分に衝撃を緩和することのできる衝撃吸収体を設けると、インパクトの際の衝撃が当該吸収体によって緩和され手の疲労感を減ずることができるのである。
【００１３】
すなわち、クラブヘッドがボールを叩くときの衝撃はグリップするゴルファーの左手の親指の付け根付近に集中することとなってホールを重ねると疲労感が次第に増すという問題点があるが、本考案のように、グローブ本体の甲側における親指片の付け根周縁部に衝撃吸収体を付設することによって手に掛かる負荷が軽減され、疲労感を減少させることができるのである。
【考案を実施するための最良の形態】
【００１４】
以下、本考案ゴルフ用グローブの実施形態の一例を図面に基づき詳細に説明する。
図１は本考案ゴルフ用グローブの一実施形態を示す斜視図、図２は図１のＡ−Ａ線に沿った断面の説明図である。
【００１５】
図中１は天然皮革の他、合成皮革、人工皮革等薄手の適宜素材によってゴルファーの手指を含めた手の掌側および手の甲側２全体を密に覆うことができる大きさに形成したグローブ本体であり、３は当該グローブ本体１の甲側２における親指片、４は人指し指片を示す。
【００１６】
本考案はグローブ本体１の甲側２における親指片３の付け根周縁部に比較的厚手の衝撃吸収体５を付設したものである。甲側２における親指片３の付け根周縁部は、ゴルフクラブのグリップの際には全く影響を与えることのないエリアであると共に、親指と人指し指の延長線が交わる合谷と称する身体療法上の重要な経穴に相当するもので、当該部分に衝撃吸収体５を付設することによってこの部分に掛かるショットの際の衝撃が緩和され、疲労感を減ずることができるのである。
【００１７】
衝撃吸収体５としては発泡ポリウレタンや発泡ポリフェノールあるいは発泡ブタジエンラバーのような合成樹脂発泡体が好適に用いられ、グローブ本体１の構成地の厚みの３〜６倍程度の厚さに形成したものをグローブ本体１の甲側２における親指片３の付け根周縁部に取付けるものである。
【００１８】
図示の実施形態においては、デザイン上の観点からグローブ本体１の甲側２における親指片３の付け根周縁部に略三日月状をなす切欠部を形成し、この三日月状切欠部内に、衝撃吸収体５を封入した補助片６を縫着して構成したものとなっている。
【００１９】
しかしながら、衝撃吸収体５の付設手段としては特に限定されるものではなく、完成されたグローブ本体１の所定箇所表面あるいは裏面に縫着ないし接着、あるいは溶着によって取付けるようにしてもよい。但し、前記したようにデザイン上の観点からは当該衝撃吸収体５が外側から視認できないように外皮内に封入することが望ましい。
【００２０】
衝撃吸収体５としては合成樹脂発泡体単独で用いることもよいが、本考案による効果をさらに得るためには、ゲルマニウム微粉末のような金属元素を合成樹脂発泡体中に分散させることが特に有効である。
【００２１】
合成樹脂発泡体中に分散させたゲルマニウム微粉末のような金属元素イオンは皮下組織中の毛細血管に浸透し、微量ではあるが電子の移動が行われ血行を促進する作用があるとされており、当該ゲルマニウム微粉末を練り込んだ衝撃吸収体５を用いることによってこの部分での一層良好な血流促進によって疲労の回復を図ることができる。
【００２２】
本考案はこのように、グローブ本体１の甲側２における親指片３の付け根周縁部に比較的厚手の衝撃吸収体５を付設したものであり、これによってショットの際の衝撃を緩和することができる。
【００２３】
なお、親指片３の付け根周縁部に合成樹脂発泡体等からなる比較的厚手の衝撃吸収体５を設けたことによってゴルファーの手のひら側の発汗を抑える効果も併せ有する。
【００２４】
すなわち、グローブ本体の甲側における親指片の付け根周縁部は、前記したように人指し指と親指の延長線が交わる合谷と称する身体療法上の重要な経穴に相当し、この部分を刺激したり、温めてやると発汗が促進され、これと対照的に手のひら側には発汗が抑えられて、グローブ本体と手の一体感が向上し、グリップを一層確実なものとすることができる。
【図面の簡単な説明】
【００２５】
【図１】本考案ゴルフ用グローブの一実施形態を示す斜視図である。
【図２】図１のＡ−Ａ線に沿った断面の説明図である。
【符号の説明】
【００２６】
１：グローブ本体
２：甲側
３：親指片
４：人指し指片
５：衝撃吸収体
６：補助片
【図１】
0003123983.tif 000003
【図２】
0003123983.tif 000004